(57)【要約】      （修正有）【課題】弱い力でも簡単に開封でき、密封性と強度を高めた四面体状の食品包装体を提供する。【解決手段】プラスチックフィルムの重ね合わせにより形成される長方形状の袋体の開口部である第１辺部１２をその両端部同士を合わせるように封止して形成した四面体状の食品包装体１０であり、重ね合わされたプラスチックフィルムを接続する溶着部５が袋体の第１辺部に対向する第２辺部１３の全体に形成されていて、第１辺部に垂直な両側辺部において重ね合わされたプラスチックフィルムは所定の幅の熱溶着の接着部１４により接続されており、プラスチックフィルムは第１辺部に垂直な方向に切断しやすい方向性シートであり、第２辺部の中央には溶着部内に形成された開封開始用の切り欠き６を有し、切り欠きから開封した時に切断線は溶着による接着部の存在しないシート面を通る。【選択図】図２
2020203732.tif 000002
【特許請求の範囲】
【請求項１】
プラスチックフィルムの重ね合わせにより形成される長方形状の袋体の開口部である第１辺部をその両端部同士を合わせるように封止して形成した四面体状の食品包装体であり、
重ね合わされたプラスチックフィルムを接続する溶着部が袋体の第１辺部に対向する第２辺部の全体に形成されていて、
第１辺部に垂直な両側辺部において重ね合わされたプラスチックフィルムは所定の幅の熱溶着の接着部により接続されており、
プラスチックフィルムは第１辺部に垂直な方向に切断しやすい方向性シートであり、
第２辺部の中央には溶着部内に形成された開封開始用の切り欠きを有し、
切り欠きから開封した時に切断線は溶着による接着部の存在しないシート面を通るようになした食品包装体。
【発明の詳細な説明】
【技術分野】
【０００１】
この発明は、食品を包装するための四面体状の包装材に関する。
【背景技術】
【０００２】
牛乳等の飲料用の包装材として、四面体状のものは古くより使用されていた。４面のいずれかの中心付近に穴が通しやすい加工がされていて、そこにストローを刺して内容物を飲用する。
【０００３】
特許文献１、特許文献２、特許文献３などには、固形物の食品を収容できる四面体状の包装体が記載されている。これらの包装体は２枚のプラスチックフィルムの重ね合わせにより形成されていて、２枚のプラスチックフィルムは接続されている。この接続部は四面体状の上辺の中央部から下辺の端部に向かって形成されている。そして、上辺の中央部に開封を容易にする手段が設けられ、ここから四面体を２分割するように切り開く。開封された時には、舟形となり、それを容器のようにテーブルにおいて中の食品を食べることができる。
【先行技術文献】
【特許文献】
【０００４】
【特許文献１】特開２００７−２８４０７７号公開特許公報
【特許文献２】特開２０１０−２４１４９１号公開特許公報
【特許文献３】特開２０１１−１２６５６１号公開特許公報
【発明の概要】
【発明が解決しようとする課題】
【０００５】
従来の飲料用の四面体状容器は内容物を指で取り出せるように大きく切り開くことが困難であり、固形の食品用に使用するには適していない。一方、特許文献１、特許文献２、特許文献３などに記載の食品包装体であれば、いずれかの辺部の中心から２分割するように完全に切り開くことができ、内容物を容易に取り出すことができる。
【０００６】
しかし、特許文献１〜３に記載されている食品包装体では、四面体状の上辺の中央部から下辺の端部に向かって接続部が形成されている。開封はこの接続部に沿って行われる。つまり、開封はプラスチックシートそのものを切り裂くのではなく、２枚のシートの接続部を剥がしていく作業となる。したがって、開封のためには強い力が必要である。もし、弱い力でも開封できるようにしようとすると、この接続を弱める必要がある。そうすると、食品包装体としての密封する機能が弱められ、食品を収納している時に、何らかの外力が作用すると開いてしまうおそれがある。
【０００７】
この発明は、弱い力でも簡単に開封できる四面体状の食品包装体を提供することを目的とする。
【課題を解決するための手段】
【０００８】
上述の課題を解決するため、この発明の食品包装袋は、２枚のプラスチックフィルムの重ね合わせにより形成される長方形状の袋体であり、第１辺部は２枚のプラスチックフィルムが接続されていない開口部であり、第１辺部に対向する第２辺部はプラスチックフィルムの折り曲げ線により形成されていて、第１辺部に垂直な両側辺部において２枚のプラスチックフィルムは接続されており、プラスチックフィルムは第１辺部に垂直な方向に切断しやすい方向性シートであり、第２辺部の中央には溶着部および溶着部内に形成された切り欠きを有する。
【０００９】
また、この発明の食品包装体は、プラスチックフィルムによって形成される四面体状の食品包装体であり、プラスチックフィルムの溶着によって形成されている第１辺部と、第１辺部に対向しプラスチックフィルムの折り返しによって形成されている第２辺部と、第１辺部の中央から第２辺部の端部へ繋がる接続部と、第２辺部の中央に設けられた溶着部と、第２辺部の溶着部内に設けられた切り欠きを有する。
【発明の効果】
【００１０】
この発明の食品包装体は、第１辺部の中央部から、プラスチックシートを切り開きながら、弱い力で容易に開封することができる。  
【図面の簡単な説明】
【００１１】
【図１】食品包装袋を示す平面図である。
【図２】食品包装体を示す斜視図である。
【図３】開封された食品包装体を示す正面図である。
【発明を実施するための形態】
【００１２】
この発明を実施するための形態について図面に基づいて説明する。食品包装袋を示す平面図である。食品包装袋１は、２枚のプラスチックフィルムの重ね合わせにより形成される長方形状の袋体である。この発明の食品包装体においては、まず図１のような袋状の部材が製造され、それから内容物の食品を入れて四面体状の包装体が作られる。
【００１３】
長方形の四辺のうちで上辺である第１辺部２は２枚のプラスチックフィルムが接続されていない開口部である。残りの３つの辺部では２枚のプラスチックフィルムが接続されているので、全体として第１辺部を開口部とする袋体である。
【００１４】
第１辺部２に対向する第２辺部３はプラスチックフィルムの折り曲げ線により形成されている。また、第１辺部に垂直な両側辺部において２枚のプラスチックフィルムは接続されている。この発明で使用されるプラスチックフィルムは、所定の方向に切断されやすい性質の方向性シートである。そして、その方向は第１辺部に垂直であり、切断線が第２辺部３から第１辺部２に向かって進行しやすくなっている。
【００１５】
第２辺部３の中央には溶着部５が設けられている。この部分においてプラスチックフィルムの合わせ面には熱溶着性の接着剤が塗布されていて、ここに熱圧着処理を加えることにより、２枚のプラスチックフィルムを接続する。本例においては、第２辺部３の全体に形成されているが、中央部付近のみのスポット的に形成してもよい。そして、この溶着部の中に開封開始を容易にするための切り欠き６が設けられている。
【００１６】
本例では側辺部４の接着部は溶断によって形成されている。レーザー光を重ね合わせたプラスチックフィルムに照射しながら移動すると、レーザー光の移動した形状にプラスチックフィルムが切断されるとともに、その切断線に沿って溶けたプラスチックフィルム同士が再び固まって接合される。これで簡単に接着部を形成できるが、さらに強固な接着部を得るために、所定の幅の熱溶着を行ったり、あるいは溶断による接着部の内側にもう１本の接着部を設けたりしてもよい。
【００１７】
つぎにこの食品包装袋を使用した食品包装体について説明する。図２は食品包装体を示す斜視図である。図１に示す食品包装袋は下辺（第２辺部３）が折り返しにより形成され、左右の側辺部４は溶断によって接続されており、上部（第１辺部２）が開放されている。上辺を開き、中に内容物となる固定物の食品ｘを入れる。適用される食品には特に制限はなく、たとえばゆでた枝豆などのスナック菓子などを入れることができる。あるいは、ゼリーや羊羹など半固形の食品でもよい。ついで熱圧着などにより上辺部を封止する
【００１８】
ここで、図１に示す袋状の第１辺部２の端部Ａ，Ｂ同士を合わせるように閉じる。こうして、第１辺部２の中心である点Ｃと点Ｄが封止された時の端部となる。これにより、図２に示す四面体状の食品包装体１０が形成される。食品包装袋１の第２辺部３が食品包装体１０の第２辺部１３となる。図２においては、第２辺部３が上側になるように示している。一方、封止により形成された辺部が四面体状の食品包装体１０の第１辺部１２となる。また、食品包装袋１の側辺部４であった接着部は、食品包装体１０において第１辺部１２の中央から第２辺部１３の端部へ繋がる直線１４として現れる。第２辺部１３の中央には溶着部５があり、この溶着部５の中には開封開始を容易にするための切り欠き６がある。
【００１９】
食品を食べるときには、第２辺部１３をつまんで、左右に引っ張ることにより開封する。上部接続部１３の中央には開封開始用の切り欠き部６が形成されているので、ここから簡単に開封が開始できる。方向性フィルムの易開封性は第２辺部１３に対して垂直方向であるため、切断線は真下に向いて進行する。また、この切断線の通るところは通常のシート面であり、溶着による接着部は存在しない。したがって、食品包装体１０は簡単に開封される。図３は、食品包装体の開封状態を示す正面図である。開封されたとき、食品包装体は舟形の受け皿の形状となるので、そのまま中の食品ｘを取り出して食べることができる。
【００２０】
接合部１４は自由に形成することができる。密封性と強度を高めたい場合には、広い接着幅で形成したり、２本以上の接着帯を設けたりしてもよい。どのように接着部を強化しても、開封におけて妨げにはならない。
【符号の説明】
【００２１】
１．食品包装体
２．第１辺部
３．第２辺部
４．側辺部
５．溶着部
６．切り欠き
１０．食品包装体
１２．第１辺部
１３．第２辺部
１４．接着部
ｘ．食品
【図１】
2020203732.tif 000003
【図２】
2020203732.tif 000004
【図３】
2020203732.tif 000005
【手続補正書】
【提出日】令和2年9月9日(2020.9.9)
【手続補正１】
【補正対象書類名】明細書
【補正対象項目名】００１５
【補正方法】変更
【補正の内容】
【００１５】
第２辺部３の中央には溶着部５が設けられている。この部分においてプラスチックフィルムの合わせ面には熱溶着性の接着剤が塗布されていて、ここに熱圧着処理を加えることにより、２枚のプラスチックフィルムを接続する。本例においては、第２辺部３の全体に形成されている。そして、この溶着部の中に開封開始を容易にするための切り欠き６が設けられている。
【手続補正２】
【補正対象書類名】明細書
【補正対象項目名】００１７
【補正方法】変更
【補正の内容】
【００１７】
つぎにこの食品包装袋を使用した食品包装体について説明する。図２は食品包装体を示す斜視図である。図１に示す食品包装袋は下辺（第２辺部３）が折り返しにより形成され、左右の側辺部４は溶断によって接続されており、上部（第１辺部２）が開放されている。上辺を開き、中に内容物となる固形物の食品ｘを入れる。適用される食品には特に制限はなく、たとえばゆでた枝豆などのスナック菓子などを入れることができる。あるいは、ゼリーや羊羹など半固形の食品でもよい。ついで熱圧着などにより上辺部を封止する。